(57)【要約】【課題】携帯電話機のローマ字入力およびピンイン入力の英文字ボタンの配列が分割されていること、および、ローマ字とピンインの１発音の綴りの中の隣接した英文字が１個の英文字ボタンに兼用して設けられていること等によりローマ字入力およびピンイン入力の操作性が低かった。【解決手段】携帯電話機の数字ボタンと兼用させたローマ字およびピンインの英文字ボタンを１列に配設すること、および、ローマ字とピンインの１発音の綴りの中の隣接した英文字を１個の英文字ボタンに兼用して設けないこと等によりローマ字入力およびピンイン入力の操作性を向上させたものである。【選択図】図２
2006141025.tif 000002
【特許請求の範囲】
【請求項１】
確定ボタンを中心として該確定ボタンの周囲にセレクターボタンを設け、該セレクターボタンの周囲に数字１、２、３、４、５、６、７、８、９、０の順に右廻り、または、左廻りの１列の環状に配列した１０個の数字ボタンを設けた携帯電話機において、該数字ボタンに英文字ＡからＺの２６文字のうちの所定の１０文字を所定の順に１文字ずつ割り当てて英文字ボタンとして兼用させ、且該確定ボタンの上方のセレクターボタンと右方のセレクターボタンの間、該確定ボタンの該右方のセレクターボタンと下方のセレクターボタンの間、該確定ボタンの該下方のセレクターボタンと左方のセレクターボタンの間、および、該確定ボタンの該左方のセレクターボタンと該上方のセレクターボタンの間に英文字ＡからＺの２６文字のうちの該所定の１０文字を除く所定の４文字のボタンを設けたことを特徴とする携帯電話機。
【請求項２】
数字１、２、３、４、５、６、７、８、９、０の１０個の数字ボタンに前記所定の１０文字としての英文字Ａ、Ｋ、Ｓ、Ｔ、Ｎ、Ｈ、Ｍ、Ｙ、Ｒ、Ｗを１文字ずつ当該順に割り当てて英文字ボタンとして兼用させたことを特徴とする請求項１の携帯電話機。
【請求項３】
確定ボタンの上方のセレクターボタンと右方のセレクターボタンの間、該確定ボタンの該右方のセレクターボタンと下方のセレクターボタンの間、該確定ボタンの該下方のセレクターボタンと左方のセレクターボタンの間、および、該確定ボタンの該左方のセレクターボタンと該上方のセレクターボタンの間に前記所定の４文字としての英文字Ｉ、Ｕ、ＥおよびＯをそれぞれ割り当てた４個のボタンを設けたことを特徴とする請求項１または２に記載の携帯電話機。
【請求項４】
英文字Ａのボタンは英文字Ｑのボタンを兼用させ、英文字Ｎのボタンは英文字Ｃのボタンを兼用させ、英文字Ｍのボタンは英文字Ｐのボタンを兼用させ、英文字Ｙのボタンは英文字Ｆのボタンを兼用させ、英文字Ｒのボタンは英文字Ｌのボタンを兼用させ、英文字Ｗのボタンは英文字Ｊのボタンを兼用させて設けたことを特徴とする請求項１または２に記載の携帯電話機。
【請求項５】
英文字Ａのボタンに英文字Ｋ、Ｓ、Ｔ、Ｎ、Ｈ、Ｍ、Ｙ、Ｒ、Ｗのボタンより確定ボタン側に突出した突出部を設けたことを特徴とする請求項１または２に記載の携帯電話機。
【請求項６】
英文字Ｏのボタンに仮名文字「お」或は「を」に変換させるボタンを兼用させて設けたことを特徴とする請求項１または３に記載の携帯電話機。
【請求項７】
英文字Ｋ、Ｓ、Ｔ、Ｈのボタンに、それぞれ英文字Ｇ、Ｚ、Ｄ、Ｂのボタンを兼用させたことを特徴とする請求項１または２に記載の携帯電話機。
【発明の詳細な説明】
【技術分野】
【０００１】  本発明はローマ字（ヘボン式ローマ字および日本式ローマ字）入力およびピンイン（中国式表音ローマ字）入力のための英文字ボタンを備えた携帯電話機に関する。
【背景技術】
【０００２】  電子式卓上計算機、テレビリモコン、携帯電話機等の電子機器の数字、文字、記号の入力ボタンに関し多くの従来技術が有る。特に携帯電話機において、日本語を入力する場合は通常仮名文字入力の方式であるが、特許文献１の特開２００３−５８９９号公報の段落番号００３２に記載されているように、日本語を入力する場合ローマ字入力にすると、文字を入力するボタンを操作する（押す）回数は半減する。そのため、日本語の入力をローマ字入力にすると日本語の入力の操作性は大きく向上する。【０００３】  特許文献１の特開２００３−５８９９号公報の記載は日本語をローマ字入力するための英文字ボタンの配列を縦方向に５個および４個のボタンを数字ボタンと兼用させて３行のマトリックス状に並べたもので第１の行はローマ字母音の英文字Ａ、Ｉ、Ｕ、Ｅ、Ｏのボタンを設け、第２の行はローマ字子音の英文字Ｋ、Ｓ、Ｔ、Ｎ、Ｈ、のボタンを設け、第３の行はローマ字子音の英文字Ｍ、Ｙ、Ｒ、Ｗのボタンを設けたものである。【０００４】  特許文献２の特開２０００−１１７９１号公報の記載はテレビリモコンの例であるが、数字ボタンが円環状に１列配置されたものであって、該数字ボタンの操作性が向上する。【０００５】  特許文献３の特開２００３−４４１９６号公報の記載は電子計算機の例であるが、確定ボタン（「＝」ボタン）を中心として四則演算ボタンが円環状に配列され、四則演算ボタンの外側に数字ボタンが円環状に配置されたものであって、数字ボタンが１列に配列されるので操作性が向上する。
したがって、特許文献２の特開２０００−１１７９１号公報および特許文献３の特開２００３−４４１９６号公報の記載から携帯電話機の数字１、２、３、４、５、６、７、８、９、０のボタンを円環状に配列することは自明である。【０００６】  特許文献１の特開２００３−５８９９号公報の段落番号００１９および特許文献４の特開２００２−３２８７６５号公報の段落番号００４７の記載はローマ字の濁音の文字の入力は別の濁音のボタンを設けて、清音の文字ボタンの次に別の該濁音のボタンを押す構成である。
【特許文献１】特開２００３−５８９９号公報
【特許文献２】特開２０００−１１７９１号公報
【特許文献３】特開２００３−４４１９６号公報
【特許文献４】特開２００２−３２８７６５号公報
【特許文献５】特開平１０−２０７６０１号公報
【発明の開示】
【発明が解決しようとする課題】
【０００７】  課題１  段落番号０００３において説明したように、従来技術においてはローマ字を入力するための英文字ボタンの配列は１行のローマ字母音の英文字ボタンと２行のローマ字子音の英文字ボタンによる縦方向３行のマトリックス状に配列されている。したがって、ローマ字母音の英文字ボタンとローマ字子音の英文字ボタンの配列位置に違和感がある。また、ローマ字子音の英文字ボタンの配列は１列に連続されず、分割した配列である。そのため、所要の英文字ボタンの位置の確認がしにくいので、該英文字ボタンの操作に時間を要する問題点があった。【０００８】  課題２  段落番号０００６において説明したように、従来技術においてはローマ字の濁音の文字の入力は別に設けた濁音のボタンを操作する構成である。そのため、ローマ字の清音の濁音の変化の、英文字ＫはＧ、ＳはＺ、ＴはＤ、ＨはＢと相違するので違和感があり混乱し易い問題点があった。【０００９】  課題３  ローマ字およびピンインの１発音の綴りの中の隣接した英文字が１個の英文字ボタンに兼用して設けられている従来技術においては、該隣接した英文字の１文字目を入力した後、該隣接した英文字の２文字目を入力する前にセレクターボタンをおしてカーソルを移動させる必要があるのでセレクターボタンを押す回数が増加する問題点があった。【００１０】  上記の特開２００３−５８９９号公報のローマ字に用いる各々１個の英文字ボタンは２個の英文字をＡＢ、ＣＤ、・・・・ＷＸ、ＹＺ、のように兼用させて設けられていた。そのため、ローマ字とピンインの場合はＡＢのボタンはＢＡの文字のとき、ＥＦのボタンはＦＥの文字のとき、ＩＪのボタンはＪＩの文字のとき、ＯＰのボタンはＰＯの文字のときにセレクターボタンを押して移動させる必要が生じるのでセレクターボタンを押す回数が増加する問題点があった。【００１１】  本発明は上記の課題を解決するため、数字ボタンと兼用させた英文字ボタンを１列に配設して日本語および中国語のローマ字およびピンインによる入力の操作性を向上させるとともに、ローマ字の清音と濁音の英文字を同じボタンに配設し、また、各１個のボタンに２個の英文字入力を兼用させた場合、該ボタンを押す回数が増加しないように英文字を該ボタンに配設して、ローマ字およびピンインの英文字入力の操作性を向上させた携帯電話機を提供することである。
【課題を解決するための手段】
【００１２】  前記した問題点を解決するため、本発明は以下の手段を提供する。
手段１  請求項１記載の携帯電話機によれば、確定ボタンを中心として該確定ボタンの周囲にセレクターボタンを設け、該セレクターボタンの周囲に数字１、２、３、４、５、６、７、８、９、０の順に右廻り、または、左廻りの１列の環状に配列した１０個の数字ボタンを設けた携帯電話機において、該数字ボタンに英文字ＡからＺの２６文字のうちの所定の１０文字を所定の順に１文字ずつ割り当てて英文字ボタンとして兼用させ、且該確定ボタンの上方のセレクターボタンと右方のセレクターボタンの間、該確定ボタンの該右方のセレクターボタンと下方のセレクターボタンの間、該確定ボタンの該下方のセレクターボタンと左方のセレクターボタンの間、および、該確定ボタンの該左方のセレクターボタンと該上方のセレクターボタンの間に英文字ＡからＺの２６文字のうちの該所定の１０文字を除く所定の４文字のボタンを設けたものである。【００１３】  手段２  請求項２記載の携帯電話機によれば、数字１、２、３、４、５、６、７、８、９、０の１０個の数字ボタンに前記所定の１０文字としての英文字Ａ、Ｋ、Ｓ、Ｔ、Ｎ、Ｈ、Ｍ、Ｙ、Ｒ、Ｗを１文字ずつ当該順に割り当てて英文字ボタンとして兼用させたものである。【００１４】  手段３  確定ボタンの上方のセレクターボタンと右方のセレクターボタンの間、該確定ボタンの該右方のセレクターボタンと下方のセレクターボタンの間、該確定ボタンの該下方のセレクターボタンと左方のセレクターボタンの間、および、該確定ボタンの該左方のセレクターボタンと該上方のセレクターボタンの間に前記所定の４文字としての英文字Ｉ、Ｕ、ＥおよびＯをそれぞれ割り当てた４個のボタンを設けたものである。【００１５】  手段４  請求項４記載の携帯電話機によれば、英文字Ａのボタンは英文字Ｑのボタンを兼用させ、英文字Ｎのボタンは英文字Ｃのボタンを兼用させ、英文字Ｍのボタンは英文字Ｐのボタンを兼用させ、英文字Ｙのボタンは英文字Ｆのボタンを兼用させ、英文字Ｒのボタンは英文字Ｌのボタンを兼用させ、英文字Ｗのボタンは英文字Ｊのボタンを兼用させて設けたものである。【００１６】  手段５  請求項５記載の携帯電話機によれば、英文字Ａはローマ字の母音の行の英文字Ａ、Ｉ、Ｕ、Ｅ、Ｏの先頭の文字であり、また、ローマ字の子音のＡ列の英文字Ａ、Ｋ、Ｓ、Ｔ、Ｎ、Ｈ、Ｍ、Ｙ、Ｒ、Ｗの先頭の文字であるから位置の確認を容易にするため該英文字Ａのボタンに該英文字Ｋ、Ｓ、Ｔ、Ｎ、Ｈ、Ｍ、Ｙ、Ｒ、Ｗのボタンより確定ボタン側に突出部を設けたものである。【００１７】  手段６  請求項６記載の携帯電話機によれば、日本語の仮名文字「お」と「を」はローマ字の英文字では共にＯであるから、英文字Ｏのボタンを１回操作したときは仮名文字「お」に変換させる英文字Ｏが入力され、英文字Ｏのボタンを２回操作したときは仮名文字「を」に変換される英文字０が入力されるように該英文字Ｏのボタンは仮名文字「お」或は「を」に変換させるボタンを兼用させて設けたものである。【００１８】  手段７  請求項７記載の携帯電話機によれば、英文字Ｋのボタンは英文字Ｇのボタンを兼用させ、英文字Ｓのボタンは英文字Ｚのボタンを兼用させ、英文字Ｔのボタンは英文字Ｄのボタンを兼用させ、英文字Ｈのボタ���は英文字Ｂのボタンを兼用させてローマ字の清音と濁音の英文字を同じボタンに配設したものである。
【発明の効果】
【００１９】  本発明の携帯電話機によれば、環状に配列されている数字ボタンにローマ字Ａ列の母音の英文字Ａおよび子音の英文字Ｋ、Ｓ、Ｔ、Ｎ、Ｈ、Ｍ、Ｙ、Ｒ、Ｗの順に英文字ボタンを兼用させて設け、且該数字ボタンの内側に設けた４方向のセレクターボタンの間にローマ字母音の英文字Ｉ、Ｕ、Ｅ、Ｏのボタンを設けたので、ローマ字Ａ列の英文字ボタンは１列に配列される。また、該ローマ字母音の英文字Ｉ、Ｕ、Ｅ、Ｏのボタンは円環状に配列されているローマ字Ａ列の英文字ボタンとの配列位置に違和感が無い。
そのため、所要の英文字ボタンの位置の確認が容易になるので、日本語のローマ字入力および中国語のピンイン入力の英文字ボタンの操作時間が短縮される効果がある。【００２０】  また、本発明の携帯電話機によれば、ローマ字の清音の英文字ボタンに該ローマ字の濁音の英文字ボタンを兼用させるように設けて、ローマ字の清音の濁音の変化の通りに英文字ボタンを操作する構成にしたので普遍性が有る。したがって、日本語の濁音の文字のローマ字入力の英文字ボタンの操作に違和感が無く濁音の文字のローマ字入力の英文字ボタンの操作時間が短縮される効果がある。【００２１】  更に、本発明の携帯電話機によれば段落番号００２５〜００２８の説明の通り、英文字ＡとＱ、ＮとＣ、ＭとＰ、ＹとＦ、Ｒとし、およびＷとＪのボタンを兼用させて設けることによって、ローマ字およびピンインの隣接した英文字の第１文字目を入力した後、該隣接した英文字の第２文字目を入力する前にセレクターボタンを押してカーソル移動させる回数が減少するので、ローマ字入力およびピンイン入力の英文字ボタンの操作時間が短縮される効果がある。
【発明を実施するための最良の形態】
【００２２】  本発明を実施するための最良の形態を図面により説明する。
図１は本発明の携帯電話機の１例の外観を示すものである。図１において、折り畳み形式の携帯電話機１は数字、文字および機能等の入力ボタン１０・・・・および送話口３が設けられたボタン筐体１ａと、数字、文字および機能等を表示するディスプレイ４および受話口５が設けられたディスプレイ筐体１ｂとから構成されている。
本発明を実施するための形態は、該ボタン筐体１ａの数字、文字等の入力ボタン１０・・・・が設けられている部分の図面により説明する。【００２３】  図２は本発明の携帯電話機の実施の形態の１例の入力ボタン１０・・・・が設けられている分部の正面図である。
図２において、携帯電話機のボタン筐体１ａの入力ボタン１０・・・・が設けられている面２に向って該面２のほぼ中央に確定ボタン２５が設けられ、該確定ボタン２５の周囲に、上方のセレクターボタン６、右方のセレクターボタン７、下方のセレクターボタン８および左方のセレクターボタン９が設けられている。【００２４】  該セレクターボタン６、７、８および９の周囲に数字１のボタン１１を上部に設けて数字１、２、３、４、５、６、７、８、９、０の順に右廻りに１列に円環状に配列した数字ボタン１１、１２、１３、１４、１５、１６、１７、１８、１９、２０が設けられている。【００２５】  該数字１のボタン１１は第１の英文字Ａのボタンを兼用させて設け、該数字２のボタン１２は第１の英文字Ｋのボタンを兼用させて設け、該数字３のボタン１３は第１の英文字Ｓのボタンを兼用させて設け、該数字４のボタン１４は第１の英文字Ｔのボタンを兼用させて設け、該数字５のボタン１５は第１の英文字Ｎのボタンを兼用させて設けている。【００２６】  該数字６のボタン１６は第１の英文字Ｈのボタンを兼用させて設け、該数字７のボタン１７は第１の英文字Ｍのボタンを兼用させて設け、該数字８のボタン１８は第１の英文字Ｙのボタンを兼用させて設け、該数字９のボタン１９は第１の英文字Ｒのボタンを兼用させて設け、該数字０のボタン２０は第１の英文字Ｗのボタンを兼用させて設けられている。
ここで、英文字ボタンを時計回りにＡ、Ｋ、Ｓ、Ｔ、Ｎ、Ｈ、Ｍ、Ｙ、Ｒ、Ｗの順に配列したのは、日本語のアカサタナハマヤラワに対応するローマ字の順に英文字を１列に配列することで、操作者による文字入力をし易くし、操作時間を短縮するためである。【００２７】  段落番号００１８および００１９において説明した効果を得るための構成は各々の英文字入力ボタンに兼用させて設ける英文字をローマ字およびピンインの１発音の綴りの中に隣接して使用されない英文字で、しかも、清音の英文字を第１の英文字とし、該清音の濁音の英文字を第２の英文字として設けるものである。
そのため、本発明においてはローマ字およびピンインに隣接して使用されない英文字ＡとＱ、ＫとＧ、ＳとＺ、ＴとＤ、ＮとＣ、ＨとＢ、ＭとＰ、ＹとＦ、ＲとＬ、ＷとＪ、ＵとＶ、ＥとＸ、ＹとＣ、ＩとＦ、ＯとＱを各々の英文字のボタンに兼用させるように設けたものである。【００２８】  したがって、該第１の英文字Ａのボタン１１は第２の英文字Ｑのボタンを兼用させて設け、該第１の英文字Ｋのボタン１２は第２の英文字Ｇのボタンを兼用させて設け、該第１の英文字Ｓのボタン１３は第２の英文字Ｚのボタンを兼用させて設け、該第１の英文字Ｔのボタン１４は第２の英文字Ｄのボタンを兼用させて設け、該第１の英文字Ｎのボタン１５は第２の英文字Ｃのボタンを兼用させて設けている。【００２９】  該第１の英文字Ｈのボタン１６は第２の英文字Ｂのボタンを兼用させて設け、該第１の英文字Ｍのボタン１７は第２の英文字Ｐのボタンを兼用させて設け、該第１の英文字Ｙのボタン１８は第２の英文字Ｆのボタンを兼用させて設け、該第１の英文字Ｒのボタン１９は第２の英文字Ｌのボタンを兼用させて設け、該第１の英文字Ｗのボタン２０は第２の英文字Ｊのボタンを兼用させて設けたものである。
このような配列により操作者の入力の便宜が図られ操作時間が短縮される。なお、このように、英文字ボタンＡにＱを兼用させ、ＫにＧを兼用させ、ＳにＺを兼用させ、ＴにＤを兼用させ、ＮにＣを兼用させ、ＨにＢを兼用させ、ＭにＰを兼用させ、ＹにＦを兼用させ、ＲにＬを兼用させ、ＷにＪを兼用させた理由は、これらの２文字の組み合わせは日本語のローマ字入力の際には連続して入力されることが無いことによる。即ち、日本語のローマ字表記においてはＡＱ、ＫＧ、ＳＺ等の組み合わせは存在しないため、シフトボタンを操作するという手間が不要となり、操作者による文字入力をし易くし、操作時間を短縮することができる。【００３０】  また該上方のセレクターボタン６と該右方のセレクターボタン７の間に英文字Ｉのボタン２１が設けられ、該右方のセレクターボタン７と該下方のセレクターボタン８の間に第１の英文字Ｕおよび第２の英文字Ｖのボタン２２が設けられ、該下方のセレクターボタン８と該左方のセレクターボタン９の間に第１の英文字Ｅおよび第２の英文字Ｘのボタン２３が設けられ、該左方のセレクターボタン９と該上方のセレクターボタン６の間に英文字Ｏのボタン２４が設けられているものである。【００３１】  携帯電話機１は数字入力、英文字入力、仮名文字入力等のモードに該図面の符号を付さないモード設定ボタンの操作により設定されることは従来の技術と同様である。
このような携帯電話機１が数字入力モードに設定されているとき、ボタン１１、・・・・、２０のうちのいずれかのボタンが操作されると、その操作されたボタンに設定されている数字が入力される。【００３２】  該携帯電話機１が英文字入力モードに設定されているとき、ボタン１１が１回操作されると、第１の英文字Ａが入力され、該ボタン１１が２回操作されると第２の英文字Ｑが入力される。
ボタン１２が１回操作されると第１の英文字Ｋが入力され、該ボタン１２が２回操作されると第２の英文字Ｇが入力される。
ボタン１３が１回操作されると第１の英文字Ｓが入力され、該ボタン１３が２回操作されると第２の英文字Ｚが入力される。
ボタン１４が１回操作されると第１の英文字Ｔが入力され、該ボタン１４が２回操作されると第２の英文字Ｄが入力される。
ボタン１５が１回操作されると第１の英文字Ｎが入力され、該ボタン１５が２回操作されると第２の英文字Ｃが入力される。【００３３】  ボタン１６が１回操作されると第１の英文字Ｈが入力され、該ボタン１６が２回操作されると第２の英文字Ｂが入力される。
ボタン１７が１回操作されると第１の英文字Ｍが入力され、該ボタン１７が２回操作されると第２の英文字Ｐが入力される。
ボタン１８が１回操作されると第１の英文字Ｙが入力され、該ボタン１８が２回操作されると第２の英文字Ｆが入力される。
ボタン１９が１回操作されると第１の英文字Ｒが入力され、該ボタン１９が２回操作されると第２の英文字Ｌが入力される。
ボタン２０が１回操作されると第１の英文字Ｗが入力され、該ボタン２０が２回操作されると第２の英文字Ｊが入力される。【００３４】  前記と同様に図２において、該携帯電話機１がローマ字または英文字入力モードに設定されているとき、ボタン２１が１回操作されると英文字１が入力され、該ボタン２１が２回操作されると句点「、」が入力され、該ボタン２１が３回操作されると読点「。」が入力される。
ボタン２２が１回操作されると第１の英文字Ｕが入力され、該ボタン２２が２回操作されると第２の英文字Ｖが入力される。
ボタン２３が１回操作されると第１の英文字Ｅが入力され、該ボタン２３が２回操作されると第２の英文字Ｘが入力される。
ボタン２４が１回操作されると第１の英文字Ｏが入力され、該ボタン２４が２回操作されると長音記号「−」が入力される。【００３５】  図２において、例えばローマ字入力で「携帯電話機」と入力する場合、該図中の符号を付さないモード設定ボタンの操作によりローマ字入力モードに設定し、ボタン１２を１回、ボタン２３を１回、ボタン２１を１回、ボタン１４を１回、ボタン１１を１回、ボタン２１を１回、ボタン１４を２回、ボタン２３を１回、ボタン１５を１回、ボタン２０を１回、ボタン１１を１回、ボタン１２を１回、ボタン２１を１回操作するとディスプレイ４にローマ字で「ＫＥＩＴＡＩＤＥＮＷＡＫＩ」と表示される。これを該図中の符号を付さない数字、英字、カタカナ、平仮名、漢字（以下では「変換ボタン」とのみ表示する）変換ボタンの操作により変換されディスプレイ４に漢字の「携帯電話機」と表示される。【００３６】  図５は、このような携帯電話機の電気回路構成を示すブロック図である。図５において、ＣＰＵ２７には記憶装置２６、ディスプレイ１ｂ、アンテナを含む無線通信装置２８、マイクロホンとスピーカを含む送・受話装置２９および入力ボタン１０が接続されている。【００３７】  次に、上記の電気回路構成の作用は、モード切換ボタンがローマ字入力モードに設定されているとき、例えば「文字」と入力する場合ボタン１７を１回操作するとＣＰＵはその信号を判別して英文字「Ｍ」をディスプレイ４に表示させるとともに記憶装置２６に記憶させる。次にボタン２４を１回操作するとＣＰＵ２７はその信号を判別して英文字「Ｏ」をディスプレイ４に表示するとともに記憶装置２６に記憶させる。次にボタン２０を２回操作するとＣＰＵ２７はその信号を判別して英文字「Ｊ」をディスプレイ４に表示させるとともに記憶装置２６に記憶させる。次にボタン２１を１回操作するとＣＰＵ２７はその信号を判別して英文字「Ｉ」をディスプレイ４に表示するとともに記憶装置２６に記憶させる。
したがって、ディスプレイ４には「ＭＯＪＩ」と表示される。次いで、変換ボタンを操作するとＣＰＵ２７は記憶装置２６に記憶されている該英文字「ＭＯＪＩ」を解読することにより漢字に変換しディスプレイ４に「文字」と表示する。【００３８】  図３は本発明の携帯電話機の実施の形態の他の例の入力ボタン１０が設けられている部分の正面図である。
図３において、英文字Ａのボタン１１は他の英文字Ｋ、Ｓ、Ｔ、Ｎ、Ｈ、Ｍ、Ｙ、Ｒ、Ｗのボタン１２、１３、１４、１５、１６、１７、１８、１９、２０よりも確定ボタン２５側に突出した突出部１１ａが設けられているもので、英文字Ａのボタン１１の識別が容易になり英文字Ａのボタン１１の操作がより迅速、確実になる。【００３９】  ローマ字入力の場合日本語の仮名文字「お」と「を」の回りをして入力できるようにすると操作性が向上する。そのため、図４において、英文字「Ｏ」のボタン２４に第１の英文字「Ｏ」と第２の英文字「Ｏ」を設けて該ボタン２４を１回操作すると、変換ボタンを操作したとき仮名文字「お」に変換される第１の英文字「Ｏ」が入力され、該ボタン２４を２回操作すると、変換ボタンを操作したとき仮名文字「を」に変換される第２の英文字「Ｏ」が入力されるように構成したものである。
該図４では第１の英文字「Ｏ」と第２の英文字「Ｏ」の識別が容易にできるように第２の英文字の記号は英文字「Ｏ」の中に仮名文字「を」を表示させている。【００４０】  上記本発明の携帯電話機の実施の形態の説明では、数字ボタンを円環状に配列した例を示したが、本発明はこれに限定されず、図６のだ円環状に配列したもの、図７の方形環状に配列したもの、および其他の環状に配列した構成でも良く、同様の効果が得られる。
【図面の簡単な説明】
【００４１】
【図１】本発明の携帯電話機の実施の形態の１例の正面図。
【図２】本発明の第１の実施の形態の携帯電話機の入力ボタンが設けられている部分の正面図。
【図３】本発明の第２の実施の形態の携帯電話機の入力ボタンが設けられている部分の正面図。
【図４】本発明の第３の実施の形態の携帯電話機の入力ボタンが設けられている部分の正面図。
【図５】本発明の携帯電話機の電気回路構成を示すブロック図である。
【図６】本発明の実施の形態の入力ボタンの他の配列形状の正面図。
【図７】本発明の実施の形態の入力ボタンの他の配列形状の正面図。
【符号の説明】
【００４２】１      携帯電話機
１ａ    入力ボタン筐体
１ｂ    ディスプレイ筐体
２      入力ボタンが設けられている面
３      送話口
４      ディスプレイ（ＬＣＤ）
５      受話口
６      上方のセレクターボタン
７      右方のセレクターボタン
８      下方のセレクターボタン
９      左方のセレクターボタン
１０    入力ボタン（入力装置）
１１    数字１と第１の英文字Ａおよび第２の英文字Ｑのボタン
１１ａ  突出部
１２    数字２と第１の英文字Ｋおよび第２の英文字Ｇのボタン
１３    数字３と第１の英文字Ｓおよび第２の英文字Ｚのボタン
１４    数字４と第１の英文字Ｔおよび第２の英文字Ｄのボタン
１５    数字５と第１の英文字Ｎおよび第２の英文字Ｃのボタン
１６    数字６と第１の英文字Ｈおよび第２の英文字Ｂのボタン
１７    数字７と第１の英文字Ｍおよび第２の英文字Ｐのボタン
１８    数字８と第１の英文字Ｙおよび第２の英文字Ｆのボタン
１９    数字９と第１の英文字Ｒおよび第２の英文字Ｌのボタン
２０    数字０と第１の英文字Ｗおよび第２の英文字Ｊのボタン
２１    英文字１と句点「、」および読点「。」のボタン
２２    第１の英文字Ｕおよび第２の英文字Ｖのボタン
２３    第１の英文字Ｅおよび第２の英文字Ｘのボタン
２４    英文字Ｏと長音記号「−」のボタン
２５    確定ボタン
２６    記憶装置
２７    ＣＰＵ
２８    無線通信装置
２９    送・受話装置
３１    数字１と第１の英文字Ａおよび第２の英文字Ｑと仮名文字「あ」のボタン
３２    数字２と第１の英文字Ｋおよび第２の英文字Ｇと仮名文字「か」のボタン
３３    数字３と第１の英文字Ｓおよび第２の英文字Ｚと仮名文字「さ」のボタン
３４    数字４と第１の英文字Ｔおよび第２の英文字Ｄと仮名文字「た」のボタン
３５    数字５と第１の英文字Ｎおよび第２の英文字Ｃと仮名文字「な」のボタン
３６    数字６と第１の英文字Ｈおよび第２の英文字Ｂと仮名文字「は」のボタン
３７    数字７と第１の英文字Ｍおよび第２の英文字Ｐと仮名文字「ま」のボタン
３８    数字８と第１の英文字Ｙおよび第２の英文字Ｆと仮名文字「や」のボタン
３９    数字９と第１の英文字Ｒおよび第２の英文字Ｌと仮名文字「ら」のボタン
４０    数字０と第１の英文字Ｗおよび第２の英文字Ｊと仮名文字「わ」、「を」、「ん」のボタン
４１    英文字Ｉと長音記号「−」と句点「、」および読点「。」と仮名文字「い」のボタン
４２    第１の英文字Ｕおよび第２の英文字Ｖと仮名文字「う」のボタン
４３    第１の英文字Ｅおよび第２の英文字Ｘと仮名文字「え」のボタン
４４    英文字Ｏおよびローマ字入力の英文字Ｏが仮名文字「を」に変換される記号と仮名文字「お」と濁音「゛」および半濁音「゜」のボタン
【図１】
2006141025.tif 000003
【図２】
2006141025.tif 000004
【図３】
2006141025.tif 000005
【図４】
2006141025.tif 000006
【図５】
2006141025.tif 000007
【図６】
2006141025.tif 000008
【図７】
2006141025.tif 000009